(57)【要約】【課題】  外部からの収納ケースの内部への塵埃等の異物の侵入を防止して画質の劣化を防止する。【解決手段】  円筒状に形成された蛍光ランプ９、９、・・・と、蛍光ランプから出射された光を拡散する拡散部材１０と、蛍光ランプを挟んで拡散部材の反対側に配置されると共に樹脂材料によって形成され出射された光を反射する複数の反射部材１１、１１、・・・と、内部に蛍光ランプと拡散部材と複数の反射部材を収納し取付孔５ｂ、５ｂ、・・・を有する収納ケース４とを設け、複数の反射部材を収納ケースの内部において隣接して配置させることにより反射ユニット８を構成し、反射部材に、蛍光ランプが挿入され該蛍光ランプの挿入方向に開口し蛍光ランプの長手方向に延びる凹状部１２と、該凹状部の外周部に連続し隣接する反射部材の一部と重ね合わされるオーバーラップ部１３、１４、１５、１６とを設け、隣接する反射部材の凹状部間に間隙２０、２１を形成した。【選択図】        図４
2009117247.tif 000002
【特許請求の範囲】
【請求項１】
光源として用いられ所定の方向に長い円筒状に形成された蛍光ランプと、
上記蛍光ランプから出射された光を拡散する拡散部材と、
上記蛍光ランプを挟んで上記拡散部材の反対側に配置されると共に樹脂材料によって形成され上記蛍光ランプから出射された光を反射する複数の反射部材と、
内部に上記蛍光ランプと上記拡散部材と上記複数の反射部材を収納し所定の部材を取り付けるための取付孔を有する収納ケースとを備え、
上記複数の反射部材が上記収納ケースの内部において隣接して配置されることにより反射ユニットが構成され、
上記反射部材に、上記蛍光ランプが挿入され該蛍光ランプの挿入方向に開口し上記蛍光ランプの長手方向に延びる凹状に形成された凹状部と、該凹状部の外周部に連続し隣接する上記反射部材の一部と重ね合わされるオーバーラップ部とを設け、
隣接する反射部材の凹状部間に間隙を形成した
ことを特徴とする面光源装置。
【請求項２】
上記収納ケースの内部における上記反射ユニットを挟んで上記拡散部材の反対側の位置に、上記取付孔を閉塞する防塵フィルムを配置した
ことを特徴とする請求項１に記載の面光源装置。
【請求項３】
上記反射部材に、上記凹状部から上記挿入方向へ突出され上記蛍光ランプを挟持する一対のランプ保持突部を設けた
ことを特徴とする請求項１に記載の面光源装置。
【請求項４】
上記反射部材の上記一対のランプ保持突部における互いに対向する面に、それぞれ上記蛍光ランプの外周面と点接触される接触保持部を設けた
ことを特徴とする請求項３に記載の面光源装置。
【請求項５】
上記反射部材の上記一対のランプ保持突部の間に、上記凹状部から上記挿入方向へ突出され上記蛍光ランプの外周面と点接触される接触突部を設けた
ことを特徴とする請求項４に記載の面光源装置。
【請求項６】
画像を表示するための表示パネルと、
光源として用いられ所定の方向に長い円筒状に形成された蛍光ランプと、
上記蛍光ランプから出射された光を拡散する拡散部材と、
上記蛍光ランプを挟んで上記拡散部材の反対側に配置されると共に樹脂材料によって形成され上記蛍光ランプから出射された光を反射する複数の反射部材と、
内部に上記蛍光ランプと上記拡散部材と上記複数の反射部材を収納し所定の部材を取り付けるための取付孔を有する収納ケースとを備え、
上記複数の反射部材が上記収納ケースの内部において隣接して配置されることにより反射ユニットが構成され、
上記反射部材に、上記蛍光ランプが挿入され該蛍光ランプの挿入方向に開口し上記蛍光ランプの長手方向に延びる凹状に形成された凹状部と、該凹状部の外周部に連続し隣接する上記反射部材の一部と重ね合わされるオーバーラップ部とを設け、
隣接する反射部材の凹状部間に間隙を形成した
ことを特徴とする画像表示装置。
【発明の詳細な説明】
【技術分野】
【０００１】
本発明は面光源装置及び画像表示装置についての技術分野に関する。詳しくは、光源から出射された光を反射する複数の反射部材の一部を重ね合わせることにより外部からの収納ケースの内部への塵埃等の異物の侵入を防止して画質の劣化を防止する技術分野に関する。
【背景技術】
【０００２】
冷陰極蛍光ランプ（ＣＣＦＬ：Cold Cathode Fluorescent Lamp）等の蛍光ランプを用いて照明を行う面光源装置がある。面光源装置は、例えば、光源を直接照明として利用し照明機器として使用されたり、光源をバックライト照明として利用しテレビジョン受像器等の画像表示装置に使用される。
【０００３】
このような画像表示装置にあっては、画像を表示する液晶パネル等の表示パネルの背面側に面光源装置が配置されている。面光源装置には、例えば、表示パネル側に開口された収納ケースに所要の各部が配置されて成り、表示パネルの背面に対向して配置された拡散部材（拡散板）と該拡散部材の背面側に配置された反射部材とを備え、拡散部材と反射部材との間にバックライト照明として蛍光ランプが配置されたものがある。
【０００４】
面光源装置において、蛍光ランプからバックライトとしての光が出射されると、出射された光は拡散板によって拡散されて表示パネルへ向けて照射される。このとき蛍光ランプから反射部材側へも光が出射されるが、反射部材側へ出射された光は反射部材によって反射されて拡散板に入射され、該拡散板によって拡散されて表示パネルへ向けて照射される。
【０００５】
従って、蛍光ランプから反射部材側へ出射された光も表示パネルを照射する光として用いられ、反射部材を用いることにより蛍光ランプから出射された光の利用効率の向上を図ることができる。
【０００６】
従来の画像表示装置には、表示パネル側に開口された収納ケースを樹脂材料によって形成し、該収納ケースの底面部を上記反射部材と同様の機能を有する反射部として設けたものが存在する（例えば、特許文献１参照）。このような画像表示装置においては、反射部が成形精度の高い樹脂材料によって形成されるため、反射部の良好な機能を確保することができる。
【０００７】
しかしながら、画像表示装置は、近年、表示パネルが大型化される傾向にあり、表示パネルの大型化に伴って反射部も大型となってしまい、例えば、蛍光ランプから光が出射されたときの温度の変化時や高温下又は低温下での使用時において、樹脂材料によって形成された反射部が大型であるために、温度条件の変化による膨張又は収縮によって生じる反射部の変形量が大きくなってしまう。特に、収納ケースの一部を反射部として一体に形成しているため、収納ケースに及ぼされる熱的影響が直接反射部に及び、膨張又は収縮による反射部の変形量が大きくなるおそれがある。
【０００８】
反射部の膨張又は収縮による変形量が大きくなってしまうと、蛍光ランプに対する反射部の位置が大きく変化してしまい、蛍光ランプから出射され反射部で反射される光が必要とされる方向に反射され難くなり、面光源装置の機能性の低下を来たすおそれがある。
【０００９】
そこで、従来の画像表示装置には、反射部材を収納ケースとは異なる材料によって各蛍光ランプ毎にそれぞれ形成し、これらの複数の反射部材を隣接して配置し、反射部材の膨張又は収縮による変形量を低減して面光源装置の機能性の低下を防止するようにしたものがある（例えば、特許文献２参照）。
【００１０】
【特許文献１】特許３２０５３７３号公報
【特許文献２】特開平１−２６７６９０号公報
【発明の開示】
【発明が解決しようとする課題】
【００１１】
ところで、面光源装置の収納ケースには、一般に、回路基板等の各部材を取り付けるための複数の取付孔が形成されており、外部から収納ケースの内部に取付孔を介して塵埃等の異物が侵入するおそれがある。
【００１２】
ところが、上記した特許文献２に記載された画像表示装置にあっては、複数の反射部材を隣接して配置しているため、隣接する反射部材間に隙間が生じていると、外部から収納ケースの内部に侵入した塵埃等の異物が拡散部材や蛍光ランプに付着して拡散部材や蛍光ランプの特性に悪影響を及ぼし、表示パネルに表示される画像の品質の低下を来たすおそれがある。
【００１３】
特に、隣接する反射部材間に生じ得る隙間は、温度変化による反射部材の膨張及び収縮により大きくなる可能性があり、このような温度変化が生じたときには画質の低下が顕著に生じるおそれがある。
【００１４】
そこで、本発明面光源装置及び画像表示装置は、上記した問題点を克服し、外部からの収納ケースの内部への塵埃等の異物の侵入を防止して画質の劣化を防止することを課題とする。
【課題を解決するための手段】
【００１５】
面光源装置は、上記した課題を解決するために、光源として用いられ所定の方向に長い円筒状に形成された蛍光ランプと、上記蛍光ランプから出射された光を拡散する拡散部材と、上記蛍光ランプを挟んで上記拡散部材の反対側に配置されると共に樹脂材料によって形成され上記蛍光ランプから出射された光を反射する複数の反射部材と、内部に上記蛍光ランプと上記拡散部材と上記複数の反射部材を収納し所定の部材を取り付けるための取付孔を有する収納ケースとを設け、上記複数の反射部材を上記収納ケースの内部において隣接して配置させることにより反射ユニットを構成し、上記反射部材に、上記蛍光ランプが挿入され該蛍光ランプの挿入方向に開口し上記蛍光ランプの長手方向に延びる凹状に形成された凹状部と、該凹状部の外周部に連続し隣接する上記反射部材の一部と重ね合わされるオーバーラップ部とを設け、隣接する反射部材の凹状部間に間隙を形成したものである。
【００１６】
従って、面光源装置にあっては、オーバーラップ部によって隣接する反射部材との接触状態が確保される。
【００１７】
上記面光源装置にあっては、収納ケースの内部への塵埃等の異物の侵入を防止するために、上記収納ケースの内部における上記反射ユニットを挟んで上記拡散部材の反対側の位置に、上記取付孔を閉塞する防塵フィルムを配置することが可能である。
【００１８】
また、上記反射部材に、上記凹状部から上記挿入方向へ突出され上記蛍光ランプを挟持する一対のランプ保持突部を設けることが可能である。
【００１９】
さらに、上記反射部材の上記一対のランプ保持突部における互いに対向する面に、それぞれ上記蛍光ランプの外周面と点接触される接触保持部を設けて反射部材と蛍光ランプとの間の熱の移動を行い難くすることが望ましい。
【００２０】
また、上記反射部材の上記一対のランプ保持突部の間に、上記凹状部から上記挿入方向へ突出され上記蛍光ランプの外周面と点接触される接触突部を設け、蛍光ランプを一対の接触保持部と接触突部によって点接触した状態で保持することが好ましい。
【００２１】
画像表示装置は、上記した課題を解決するために、画像を表示するための表示パネルと、光源として用いられ所定の方向に長い円筒状に形成された蛍光ランプと、上記蛍光ランプから出射された光を拡散する拡散部材と、上記蛍光ランプを挟んで上記拡散部材の反対側に配置されると共に樹脂材料によって形成され上記蛍光ランプから出射された光を反射する複数の反射部材と、内部に上記蛍光ランプと上記拡散部材と上記複数の反射部材を収納し所定の部材を取り付けるための取付孔を有する収納ケースとを設け、上記複数の反射部材が上記収納ケースの内部において隣接して配置させることにより反射ユニットを構成し、上記反射部材に、上記蛍光ランプが挿入され該蛍光ランプの挿入方向に開口し上記蛍光ランプの長手方向に延びる凹状に形成された凹状部と、該凹状部の外周部に連続し隣接する上記反射部材の一部と重ね合わされるオーバーラップ部とを設け、隣接する反射部材の凹状部間に間隙を形成したものである。
【００２２】
従って、画像表示装置にあっては、オーバーラップ部によって隣接する反射部材との接触状態が確保される。
【発明の効果】
【００２３】
本発明面光源装置は、光源として用いられ所定の方向に長い円筒状に形成された蛍光ランプと、上記蛍光ランプから出射された光を拡散する拡散部材と、上記蛍光ランプを挟んで上記拡散部材の反対側に配置されると共に樹脂材料によって形成され上記蛍光ランプから出射された光を反射する複数の反射部材と、内部に上記蛍光ランプと上記拡散部材と上記複数の反射部材を収納し所定の部材を取り付けるための取付孔を有する収納ケースとを備え、上記複数の反射部材が上記収納ケースの内部において隣接して配置されることにより反射ユニットが構成され、上記反射部材に、上記蛍光ランプが挿入され該蛍光ランプの挿入方向に開口し上記蛍光ランプの長手方向に延びる凹状に形成された凹状部と、該凹状部の外周部に連続し隣接する上記反射部材の一部と重ね合わされるオーバーラップ部とを設け、隣接する反射部材の凹状部間に間隙を形成したことを特徴とする。
【００２４】
従って、収納ケースに形成された取付孔を介して塵埃等の異物が収納ケースの内部に侵入してしまった場合においても、塵埃等の異物が反射ユニットより拡散部材側へ侵入して拡散部材や蛍光ランプに付着することがなく、これらの各部の機能性の低下が防止され、表示パネルに表示される画像の品質の低下を防止することができる。
【００２５】
請求項２に記載した発明にあっては、上記収納ケースの内部における上記反射ユニットを挟んで上記拡散部材の反対側の位置に、上記取付孔を閉塞する防塵フィルムを配置したので、取付孔からの収納ケースの内部への塵埃等の異物の侵入を防止することができる。
【００２６】
請求項３に記載した発明にあっては、上記反射部材に、上記凹状部から上記挿入方向へ突出され上記蛍光ランプを挟持する一対のランプ保持突部を設けたので、蛍光ランプを反射部材によって保持することにより、蛍光ランプの反射部材に対する位置決めを正確に行うことができ、面光源装置の機能性の向上を図ることができる。
【００２７】
請求項４に記載した発明にあっては、上記反射部材の上記一対のランプ保持突部における互いに対向する面に、それぞれ上記蛍光ランプの外周面と点接触される接触保持部を設けたので、蛍光ランプと反射部材の間での熱伝達が行われ難く、光の出射時における蛍光ランプの温度低下が抑制されて蛍光ランプの良好な機能を確保することができると共に反射部材の温度上昇が抑制されて該反射部材の熱膨張による変形量を低減することができる。
【００２８】
請求項５に記載した発明にあっては、上記反射部材の上記一対のランプ保持突部の間に、上記凹状部から上記挿入方向へ突出され上記蛍光ランプの外周面と点接触される接触突部を設けたので、蛍光ランプと反射部材の間での熱伝達が行われ難く、光の出射時における蛍光ランプの温度低下が抑制されて蛍光ランプの良好な機能を確保することができると共に反射部材の温度上昇が抑制されて該反射部材の熱膨張による変形量を低減することができる。
【００２９】
本発明画像表示装置は、画像を表示するための表示パネルと、光源として用いられ所定の方向に長い円筒状に形成された蛍光ランプと、上記蛍光ランプから出射された光を拡散する拡散部材と、上記蛍光ランプを挟んで上記拡散部材の反対側に配置されると共に樹脂材料によって形成され上記蛍光ランプから出射された光を反射する複数の反射部材と、内部に上記蛍光ランプと上記拡散部材と上記複数の反射部材を収納し所定の部材を取り付けるための取付孔を有する収納ケースとを備え、上記複数の反射部材が上記収納ケースの内部において隣接して配置されることにより反射ユニットが構成され、上記反射部材に、上記蛍光ランプが挿入され該蛍光ランプの挿入方向に開口し上記蛍光ランプの長手方向に延びる凹状に形成された凹状部と、該凹状部の外周部に連続し隣接する上記反射部材の一部と重ね合わされるオーバーラップ部とを設け、隣接する反射部材の凹状部間に間隙を形成したことを特徴とする。
【００３０】
従って、収納ケースに形成された取付孔を介して塵埃等の異物が収納ケースの内部に侵入してしまった場合においても、塵埃等の異物が反射ユニットより拡散部材側へ侵入して拡散部材や蛍光ランプに付着することがなく、これらの各部の機能性の低下が防止され、表示パネルに表示される画像の品質の低下を防止することができる。
【発明を実施するための最良の形態】
【００３１】
以下に、本発明面光源装置及び画像表示装置を実施するための最良の形態を添付図面に従って説明する。
【００３２】
以下に示した最良の形態は、本発明画像表示装置を、液晶パネルに画像を表示するテレビジョン受像器に適用したものであり、本発明面光源装置を、このテレビジョン受像器に備えられた面光源装置に適用したものである。
【００３３】
尚、本発明の適用範囲は液晶パネルを有するテレビジョン受像器及びこれに備えられた面光源装置に限られることはなく、他の各種のテレビジョン受像器、パーソナルコンピューターに用いられる画像表示装置等やこれらに用いられる各種の面光源装置に広く適用することができる。
【００３４】
画像表示装置（テレビジョン受像器）１は図示しない外筐の内部に所要の各部が配置されて成る（図１参照）。
【００３５】
外筐は前後に扁平な前方に開口された箱状に形成され、該開口を内側から閉塞する位置に画像を表示する表示パネル２が配置されている。表示パネル２は、例えば、透過型のカラー液晶パネルを前後から２枚の偏光板で挟み込むことにより構成され、アクティブマトリックス方式で駆動することによりフルカラー映像を表示する。
【００３６】
表示パネル２には、例えば、その下側に配置された駆動回路２ａが接続されている。駆動回路２ａは表示パネル２に対する駆動制御を行う回路である。
【００３７】
外筐の内部には面光源装置３が配置されている。面光源装置３は収納ケース４に所要の各部が配置されて成る。
【００３８】
収納ケース４は、熱伝導性及び剛性の高い金属材料、例えば、鉄、アルミニウム、マグネシウム等によって前後に扁平な前方に開口された箱状に形成され、前後方向を向く底面部５と該底面部５の外周縁から前方へ突出された周面部６とから成る。
【００３９】
収納ケース４の底面部５には縦横に等間隔に離隔して複数の保持孔５ａ、５ａ、・・・が形成されている。底面部５には取付孔５ｂ、５ｂ、・・・が形成されている。取付孔５ｂ、５ｂ、・・・は、例えば、回路部品等を取り付けるための孔である。
【００４０】
収納ケース４の内部における左右両端部には、図示しない複数のランプソケットが設けられている。ランプソケットは後述する蛍光ランプを収納ケース４に取り付ける役割を果たす。
【００４１】
収納ケース４の内部には防塵フィルム７、反射ユニット８、蛍光ランプ９、９、・・・及び拡散部材１０が順に後方側から配置され、該拡散部材１０が表示パネル２に対向して位置されている。
【００４２】
防塵フィルム７は取付孔５ｂ、５ｂ、・・・からの収納ケース４の内部への塵埃等の異物の侵入を防止する機能を有する。
【００４３】
防塵フィルム７は、例えば、収納ケース４の底面部５の全面を覆う形状及び大きさに形成され、保持孔５ａ、５ａ、・・・に対応した位置にそれぞれ挿入孔７ａ、７ａ、・・・を有している。従って、防塵フィルム７によって底面部５が前方から覆われた状態においては、底面部５に形成された取付孔５ｂ、５ｂ、・・・が閉塞され、保持孔５ａ、５ａ、・・・と挿入孔７ａ、７ａ、・・・がそれぞれ一致される。
【００４４】
尚、防塵フィルム７は、例えば、取付孔５ｂ、５ｂ、・・・のみを閉塞する形状としてもよいが、収納ケース４に対する配置の容易化を確保するためには、上記したように、防塵フィルム７を底面部５の全体を覆う形状及び大きさに形成することが望ましい。
【００４５】
反射ユニット８は複数の反射部材１１、１１、・・・が組み合わされて成る。
【００４６】
反射部材１１は、耐熱性の高いフィルム状の樹脂材料によって所定の形状に形成されて成り、熱プレス、真空成形、圧空成形等によって形成される。耐熱性の高いフィルム状の樹脂材料としては、例えば、酸化チタンを含有するポリカーボネートフィルム等が用いられる。また、反射部材１１は、蛍光ランプ９、９、・・・から出射された光を表示パネル２へ向けて反射する機能を有し、蛍光ランプ９、９、・・・から出射された光の利用効率の向上を図るために９０％以上の反射率を有することが望ましい。
【００４７】
反射部材１１は、図２に示すように、前方に開口され左右に延びる凹状部１２と該凹状部の外周部に連続して設けられたオーバーラップ部１３、１４、１５、１６とを有している。
【００４８】
凹状部１２は、横断面形状が略Ｕ字状に形成されたベース部１７と、該ベース部１７の右側縁から内側斜め右方へ張り出されたＵ字状を為す段差部１８とから成る。凹状部１２は、例えば、上側の前縁１２ａが下側の前縁１２ｂより僅かに後方に位置されている。
【００４９】
オーバーラップ部１３は凹状部１２の右側に連続して設けられ、段差部１８の内周縁から右方へ突出され、横断面形状が略Ｕ字状に形成されている。
【００５０】
オーバーラップ部１４は凹状部１２の左側に連続して設けられ、ベース部１７の左端に連続されている。オーバーラップ部１４は横断面形状及びその大きさが、凹状部１２の横断面形状及びその大きさと同じにされている。
【００５１】
オーバーラップ部１５は凹状部１２の上側、オーバーラップ部１３の上側及びオーバーラップ部１４の上側にそれぞれ連続して設けられている。オーバーラップ部１５は、ベース部１７の上側の前縁及びオーバーラップ部１４の上側の前縁から上方へ突出された延設部１５ａと、段差部１８の上側の前縁から上方へ突出された傾斜部１５ｂと、オーバーラップ部１３の上側の前縁から上方へ突出された小片部１５ｃとから成る。
【００５２】
オーバーラップ部１６は凹状部１２の下側、オーバーラップ部１３の下側及びオーバーラップ部１４の下側にそれぞれ連続して設けられている。オーバーラップ部１６は、ベース部１７の下側の前縁及びオーバーラップ部１４の下側の前縁から下方へ突出された延設部１６ａと、段差部１８の下側の前縁から下方へ突出された傾斜部１６ｂと、オーバーラップ部１３の下側の前縁から下方へ突出された小片部１６ｃとから成る。
【００５３】
オーバーラップ部１５の延設部１５ａと傾斜部１５ｂと小片部１５ｃは、それぞれオーバーラップ部１６の延設部１６ａと傾斜部１６ｂと小片部１６ｃより、例えば、僅かに後方に位置されている。また、オーバーラップ部１５、１６の延設部１５ａ、１６ａは、それぞれオーバーラップ部１５、１６の小片部１５ｃ、１６ｃより後方に位置されている。
【００５４】
反射部材１１には、凹状部１２の外周面から後方へ突出された被取付ピン１９が設けられている。被取付ピン１９は凹状部１２の略中央部に設けられている。
【００５５】
反射部材１１、１１、・・・はそれぞれ収納ケース４の底面部５に取り付けられて左右方向及び上下方向に隣接して配置される（図３乃至図６参照）。
【００５６】
反射部材１１、１１、・・・はそれぞれ被取付ピン１９、１９、・・・が防塵フィルム７に形成された挿通孔７ａ、７ａ、・・・を及び収納ケース４の底面部５に形成された保持孔５ａ、５ａ、・・・に順に挿入される。底面部５に形成された保持孔５ａ、５ａ、・・・にそれぞれ挿入された被取付ピン１９、１９、・・・は、各先端部が底面部５の後方へ突出され、例えば、この先端部が熱カシメされて反射部材１１、１１、・・・が収納ケース４に固定される（図５参照）。
【００５７】
反射部材１１、１１が上下方向に隣接して配置された状態においては、図５に示すように、オーバーラップ部１５にオーバーラップ部１６が重ね合わされる。このときオーバーラップ部１５の延設部１５ａと傾斜部１５ｂと小片部１５ｃには、それぞれオーバーラップ部１６の延設部１６ａと傾斜部１６ｂと小片部１６ｃが重ね合わされる。
【００５８】
反射部材１１、１１が上下方向に隣接して配置された状態においては、上下に位置された凹状部１２、１２間に所定の大きさの間隙２０が形成される。間隙２０の大きさは、上下に位置する反射部材１１、１１が温度変化によって膨張又は収縮したときに、オーバーラップ部１５とオーバーラップ部１６の重なりが外れない大きさにされている。
【００５９】
反射部材１１、１１が左右方向に隣接して配置された状態においては、図６に示すように、オーバーラップ部１４にオーバーラップ部１３が重ね合わされる。
【００６０】
反射部材１１、１１が左右方向に隣接して配置された状態においては、左右に位置された凹状部１２、１２間に所定の大きさの間隙２１が形成される。間隙２１の大きさは、左右に位置する反射部材１１、１１が温度変化によって膨張又は収縮したときに、オーバーラップ部１３とオーバーラップ部１４の重なりが外れない大きさにされている。
【００６１】
反射部材１１、１１が、上記のように、上下左右においてオーバーラップ部１３、１４、１５、１６が重ね合わされた状態で隣接して配置されることにより反射ユニット８が構成される（図１参照）。
【００６２】
反射ユニット８は外形が収納ケース４の底面部５と略同じ大きさに形成され、収納ケース４に配置された防塵フィルム７を前方から押さえるようにして収納ケース４の内部に配置される。
【００６３】
反射ユニット８が収納ケース４の内部に配置された状態において、収納ケース４の周面部６の内面側には反射ユニット８の外周部を覆う図示しない覆い部材が配置される。従って、収納ケース４の周面部６と反射ユニット８の外周部との間に隙間が生じていても、この隙間が覆い部材によって閉塞される。
【００６４】
蛍光ランプ９、９、・・・は、例えば、冷陰極蛍光ランプであり、長い円筒状に形成され、長手方向が左右となる向きで収納ケース４の内部に配置される。蛍光ランプ９、９、・・・は上下に等間隔に離隔して配置され、長手方向における両端部が収納ケース４の内部に設けられたランプソケットにそれぞれ保持される。
【００６５】
収納ケース４の内部に配置された蛍光ランプ９は、左右で組み合わされた反射部材１１、１１、１１に挿入された状態で位置される。反射部材１１、１１、１１に挿入された蛍光ランプ９は反射部材１１、１１、１１と接触されておらず、図５に示すように、蛍光ランプ９の外周面と凹状部１２、１２、１２の内周面との距離が略一定とされている。従って、蛍光ランプ９、９、・・・に生じる熱が反射ユニット８に伝達し難いため、その分、蛍光ランプ９、９、・・・の光学特性の劣化を抑制することができると共に反射ユニット８の温度変化による膨張及び収縮を抑制することができる。
【００６６】
拡散部材１０は板状又はシート状に形成され、蛍光ランプ９、９、・・・を前方から覆うようにして収納ケース４の内部に配置される。拡散部材１０は、蛍光ランプ９、９、・・・から出射された光を拡散し、表示パネル２へ向かう光の量が該表示パネル２の面内で均一化されるようにする機能を有する。
【００６７】
拡散部材１０は収納ケース４の内部に配置された状態において、その前方に位置された表示パネル２に対向して位置される。
【００６８】
以上のように構成された画像表示装置１において、蛍光ランプ９、９、・・・からバックライトとしての光が出射されると、出射された光は拡散部材１０によって拡散されて表示パネル２へ向けて照射される。このとき蛍光ランプ９、９、・・・から反射ユニット８側へも光が出射されるが、反射ユニット８側へ出射された光は該反射ユニット８によって反射されて拡散部材１０に入射され、該拡散部材１０によって拡散されて表示パネル２へ向けて照射される。
【００６９】
同時に、駆動回路２ａによる表示パネル２の駆動によって該表示パネル２に画像が表示され、画像の表示が行われている表示パネル２に、上記したように、蛍光ランプ９、９、・・・から出射された光が背面側から照射される。
【００７０】
上記した画像の表示時には、蛍光ランプ９、９、・・・から光が出射されたときの発熱等により面光源装置３に温度上昇が生じ、反射ユニット８の各反射部材１１、１１が膨張されるが、反射ユニット８にあっては、隣接する反射部材１１、１１、・・・のオーバーラップ部１３、１４、１５、１６が重ね合わされた状態とされているため、隣接する反射部材１１、１１、・・・が熱膨張により前後上下左右へ変位した場合においても、隣接する反射部材１１、１１、・・・の変位に応じてオーバーラップ部１３、１４、１５、１６が摺動され、隣接する反射部材１１、１１、・・・間に隙間が生じることがない。
【００７１】
また、画像の表示が終了し、蛍光ランプ９、９、・・・からの光の出射が終了したときには面光源装置３に温度低下が生じ、反射ユニット８の各反射部材１１、１１が収縮されて前後上下左右へ変位されるが、この場合においても、隣接する反射部材１１、１１、・・・の変位に応じてオーバーラップ部１３、１４、１５、１６が摺動され、隣接する反射部材１１、１１、・・・間に隙間が生じることがない。
【００７２】
従って、収納ケース４の底面部５に形成された取付孔５ｂ、５ｂ、・・・を介して塵埃等の異物が収納ケース４の内部に侵入してしまった場合においても、塵埃等の異物が反射ユニット８の前面側へ侵入して拡散部材１０や蛍光ランプ９、９、・・・に付着することがなく、これらの各部の機能性の低下が防止され、表示パネル２に表示される画像の品質の低下を防止することができる。
【００７３】
また、収納ケース４の内部には、底面部５に形成された取付孔５ｂ、５ｂ、・・・を覆う防塵フィルム７が配置されているため、取付孔５ｂ、５ｂ、・・・からの収納ケース４の内部への塵埃等の異物の侵入を防止することができる。
【００７４】
さらに、上記したように、蛍光ランプ９、９、・・・からの光の出射時に反射部材１１、１１、・・・間に隙間が生じないため、蛍光ランプ９、９、・・・から出射された光が反射ユニット８の後方側へ漏れ光として達することを防止することができ、光の利用効率の向上を図ることができる。
【００７５】
以下に、反射部材の変形例について説明する（図７及び図８参照）。尚、以下に示す変形例に係る反射部材１１Ａは、上記した反射部材１１と比較して、凹状部に前方へ向けて突出された複数の突部が設けられていることのみが相違するため、反射部材１１Ａと比較して異なる部分についてのみ詳細に説明をし、その他の部分については反射部材１１における同様の部分に付した符号と同じ符号を付して簡単に説明する。
【００７６】
変形例に係る反射部材１１Ａは、耐熱性の高いフィルム状の樹脂材料によって所定の形状に形成されて成り、熱プレス、真空成形、圧空成形等によって形成される。耐熱性の高いフィルム状の樹脂材料としては、例えば、酸化チタンを含有するポリカーボネートフィルム等が用いられる。反射部材１１Ａは、蛍光ランプ９、９、・・・から出射された光を表示パネル２へ向けて反射する機能を有し、蛍光ランプ９、９、・・・から出射された光の利用効率の向上を図るために９０％以上の反射率を有することが望ましい。
【００７７】
反射部材１１Ａは、図７に示すように、前方に開口され上下に延びる凹状部１２と該凹状部１２の外周部に連続して設けられたオーバーラップ部１３、１４、１５、１６とを有している。
【００７８】
凹状部１２の内面からは前方へ向けて一対のランプ保持突部２２、２２が上下に離隔して突出されている。ランプ保持突部２２、２２は凹状部１２の略中央部から突出され、例えば、角柱状に形成されている。
【００７９】
ランプ保持突部２２の互いに対向する面２２ａ、２２ａには、それぞれ前後に延びる接触保持部２３、２３が設けられている。接触保持部２３、２３は互いに近付く方向へ突出され、横断面形状が半円状に形成されている。
【００８０】
凹状部１２の内面には、一対のランプ保持突部２２、２２間に、前方へ向けて突出された接触突部２４が設けられている。接触突部２４は半球状に形成されている。
【００８１】
以上のように構成された反射部材１１Ａにおいて、蛍光ランプ９は一対のランプ保持突部２２、２２間に圧入により挿入され、外周面が一対のランプ保持突部２２、２２によって挟持されて反射部材１１Ａに保持される。蛍光ランプ９が反射部材１１Ａに保持された状態においては、一対のランプ保持突部２２、２２の接触保持部２３、２３と接触突部２４が蛍光ランプ９の外周面に点接触される（図８参照）。
【００８２】
上記のように蛍光ランプ９、９、・・・を反射部材１１Ａ、１１Ａ、・・・によって保持することにより、蛍光ランプ９、９、・・・の反射部材１１Ａ、１１Ａ、・・・に対する位置決めを正確に行うことができ、面光源装置３の機能性の向上を図ることができる。
【００８３】
また、一対のランプ保持突部２２、２２の互いに対向する面２２ａ、２２ａに、それぞれ蛍光ランプ９の外周面と点接触される接触保持部２３、２３を設けているため、蛍光ランプ９と反射部材１１Ａの間での熱伝達が行われ難く、光の出射時における蛍光ランプ９の温度低下が抑制されて蛍光ランプ９の良好な機能を確保することができると共に反射部材１１Ａの温度上昇が抑制されて該反射部材１１Ａの熱膨張による変形量を低減することができる。
【００８４】
さらに、反射部材１１Ａに蛍光ランプ９の外周面と点接触される接触突部２４を設けているため、蛍光ランプ９と反射部材１１Ａの間での熱伝達が行われ難く、光の出射時における蛍光ランプ９の温度低下が抑制されて蛍光ランプ９の良好な機能を確保することができると共に反射部材１１Ａの温度上昇が抑制されて該反射部材１１Ａの熱膨張による変形量を低減することができる。
【００８５】
加えて、接触突部２４は凹状部１２に対する蛍光ランプ９の挿入方向（前後方向）における位置決めを行う機能を有しているため、接触突部２４が設けられた反射部材１１Ａを用いることにより、蛍光ランプ９の反射部材１１Ａに対する位置決め精度の向上を図ることができる。
【００８６】
尚、反射部材１１Ａには収納ケース４の底面部５に反射部材１１Ａを取り付けるための被取付ピン１９が設けられていてもよく、この場合には反射部材１１Ａが被取付ピン１９によって収納ケース４に取り付けられるため、収納ケース４の内部に蛍光ランプ９を保持するためのランプソケットを設ける必要がない。
【００８７】
逆に、反射部材１１Ａに収納ケース４の底面部５に反射部材１１Ａを取り付けるための被取付ピン１９を設けなくてもよく、この場合には蛍光ランプ９がランプソケット及び一対のランプ保持突部２２、２２によって収納ケース４に保持されるため、別に、反射部材１１Ａの収納ケース４に対する取付構造を必要としない。
【００８８】
尚、上記には、収納ケース４を鉄、アルミニウム、マグネシウム等の金属材料によって形成した例を示したが、収納ケース４を金属材料によって形成することにより収納ケース４からの放熱性の向上を図ることができ、蛍光ランプ９の光の出射時における温度上昇を抑制することができる。
【００８９】
また、収納ケース４を、例えば、ポリカーボネート等の樹脂材料によって形成した場合には、蛍光ランプ９、９、・・・から出射された光が収納ケース４を透過するおそれがあるが、上記のように、収納ケース４を金属材料によって形成することにより蛍光ランプ９、９、・・・から出射された光の収納ケース４の透過を防止することができる。
【００９０】
尚、上記には、反射部材１１又は反射部材１１Ａの凹状部１２に１本の蛍光ランプ９を挿入して配置する例を示したが、一つの凹状部１２に複数の蛍光ランプ９、９、・・・を挿入して配置することも可能である。このような構成とすることにより、部品点数の低減を図ることができる。
【００９１】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９２】
【図１】図２乃至図８と共に本発明を実施するための最良の形態を示すものであり、本図は画像表示装置を示す分解斜視図である。
【図２】反射部材の拡大斜視図である。
【図３】複数の反射部材が分離された状態を示す拡大斜視図である。
【図４】複数の反射部材が組み合わされた状態を示す拡大斜視図である。
【図５】反射部材の組み合わされた状態を示す拡大断面図である。
【図６】反射部材の組み合わされた状態を図５とは別の方向から見た状態で示す拡大断面図である。
【図７】変形例に係る反射部材を示す拡大斜視図である。
【図８】変形例に係る反射部材に蛍光ランプが保持された状態を示す拡大断面図である。
【符号の説明】
【００９３】
１…画像表示装置、２…表示パネル、３…面光源装置、４…収納ケース、５ｂ…取付孔、７…防塵フィルム、８…反射ユニット、９…蛍光ランプ、１０…拡散部材、１１…反射部材、１２…凹状部、１３…オーバーラップ部、１４…オーバーラップ部、１５…オーバーラップ部、１６…オーバーラップ部、２０…間隙、２１…間隙、１１Ａ…反射部材、２２…ランプ保持突部、＊２２ａ…対向する面、２３…接触保持部、２４…接触突部
【図１】
2009117247.tif 000003
【図２】
2009117247.tif 000004
【図３】
2009117247.tif 000005
【図４】
2009117247.tif 000006
【図５】
2009117247.tif 000007
【図６】
2009117247.tif 000008
【図７】
2009117247.tif 000009
【図８】
2009117247.tif 000010